【事件の表示】
　特許第２９２５５８４号「眼鏡レンズ用レンズメータ」の請求項１ないし３に係る特許に対する特許異議の申立てについて、次のとおり決定する。
【結　論】
　訂正を認める。
　特許第２９２５５８４号の請求項１、３に係る特許を取り消す。
　同請求項２に係る特許を維持する。
【理　由】
１．手続の経緯
　特許第２９２５５８４号の請求項１ないし３に係る発明についての出願は、平成元年６月１４日に特許出願されたもので、平成１１年５月７日にその発明について特許の設定登録がなされた後、請求項１ないし３に係る発明の特許に対して株式会社トプコンより特許異議の申立てがなされ、取消理由通知がなされ、その指定期間内である平成１２年７月３１日に訂正請求がなされ、審尋がなされたものである。
　
２．訂正の適否
ア）訂正の内容
　特許権者が求めている訂正の内容は次の訂正事項（１）、（２）のとおりである。
（１）特許請求の範囲請求項１の記載を次の通り訂正する。
「【請求項１】　眼鏡レンズの屈折力を測定する測定光学系を備える眼鏡レンズ用レンズメータにおいて、該眼鏡レンズの加工中心に位置合わせして取り付けるサクションカップを保持する保持手段と、前記保持手段に保持されたサクションカップを前記測定光学系の光路外の待機位置からその光軸上に移動する第１移動手段と、前記測定光学系の光路の外周部にある支持手段であって、所定の圧力以上の力を受けたときは圧力を避ける位置に移動可能な支持手段によりレンズ後面が支持された、前記眼鏡レンズに対して前記サクションカップを前記測定光学系の光軸に沿って移動させて前記眼鏡レンズに吸着させる第２移動手段と、を設けたことを特徴とする眼鏡レンズ用レンズメータ。」
（２）請求項１の訂正に伴い、【発明の詳細な説明】の［発明の構成］の「（１）眼鏡レンズの屈折力を測定する測定光学系を備える眼鏡レンズ用レンズメータにおいて、該眼鏡レンズの加工中心に位置合わせして取り付けるサクションカップを保持する保持手段と、前記保持手段に保持されたサクションカップを前記測定光学系の光路外の待機位置からその光軸上に移動する第１移動手段と、支持手段により支持された前記眼鏡レンズに対して前記サクションカップを前記測定光学系の光軸に沿って移動させて前記眼鏡レンズに吸着させる第２移動手段と、を設けたことを特徴とする。」とあるのを、
「（１）眼鏡レンズの屈折力を測定する測定光学系を備える眼鏡レンズ用レンズメータにおいて、該眼鏡レンズの加工中心に位置合わせして取り付けるサクションカップを保持する保持手段と、前記保持手段に保持されたサクションカップを前記測定光学系の光路外の待機位置からその光軸上に移動する第１移動手段と、前記測定光学系の光路の外周部にある支持手段であって、所定の圧力以上の力を受けたときは圧力を避ける位置に移動可能な支持手段によりレンズ後面が支持された、前記眼鏡レンズに対して前記サクションカップを前記測定光学系の光軸に沿って移動させて前記眼鏡レンズに吸着させる第２移動手段と、を設けたことを特徴とする。」と訂正する。
　
イ）訂正の目的の適否、新規事項の有無及び拡張・変更の存否
　
　訂正事項（１）は、請求項１に対する訂正であって、「支持手段」に「前記測定光学系の光路の外周部にある支持手段であって、所定の圧力以上の力を受けたときは圧力を避ける位置に移動可能な」の構成を付加するとともに、「支持手段によりレンズ後面が支持された、前記眼鏡レンズに対して前記サクションカップを前記測定光学系の光軸に沿って移動させて前記眼鏡レンズに吸着させる第２移動手段と、」との訂正をするものであり、特許請求の範囲の減縮を目的とするものである。
　そして、特許明細書の「請求項１の眼鏡レンズ用レンズメータにおいて、前記眼鏡レンズを支持する支持手段は、前記眼鏡レンズの屈折力を測定する際に使用されるノーズピースであり、該ノーズピースは所定の圧力以上の力を受けたときは圧力を避ける位置に移動可能であることを特徴とする眼鏡レンズ用レンズメータ。」（請求項２）、「検者がグリップ１６を握ることによって、サクションカップ１５は被検レンズ側に移動・押しつけられ吸着固定される。このとき被検レンズにかかる荷重すべてがノーズピース７にもかかるのを防止するために、ある力以上の荷重がノーズピース７にかかったときはスプリング１７は縮み、被検レンズはクッション１８と接し、サクションカップ押しつけ時の荷重を受ける。これによりノーズピース７の変形を防ぐことができる。ここでいうある力とは装置を被検レンズの屈折力測定に使用しようとするときにノーズピース７が移動しない程度の力である。」（［実施例］）という記載及び【図１】に記載された事項から、訂正事項（１）は、願書に添付した明細書又は図面に記載した事項の範囲内においてされたものであり、また、実質上特許請求の範囲を拡張し、又は変更するものではない。
　
　訂正事項（２）は、訂正事項（１）において訂正された記載との整合をとるために発明の詳細な説明の記載を訂正するものであり、明瞭でない記載の釈明を目的とするものである。そして、訂正事項（２）は、願書に添付した明細書又は図面に記載した事項の範囲内においてされたものであり、また、実質上特許請求の範囲を拡張し、又は変更するものではない。
　
ウ）むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３．特許異議の申立てについての判断
ア）本件発明
　本件の請求項１ないし３に係る発明は、訂正明細書及び図面の記載からみて、それぞれ、特許請求の範囲の請求項１ないし３に記載されたとおりの次のものである。
　
「【請求項１】　眼鏡レンズの屈折力を測定する測定光学系を備える眼鏡レンズ用レンズメータにおいて、該眼鏡レンズの加工中心に位置合わせして取り付けるサクションカップを保持する保持手段と、前記保持手段に保持されたサクションカップを前記測定光学系の光路外の待機位置からその光軸上に移動する第１移動手段と、前記測定光学系の光路の外周部にある支持手段であって、所定の圧力以上の力を受けたときは圧力を避ける位置に移動可能な支持手段によりレンズ後面が支持された、前記眼鏡レンズに対して前記サクションカップを前記測定光学系の光軸に沿って移動させて前記眼鏡レンズに吸着させる第２移動手段と、を設けたことを特徴とする眼鏡レンズ用レンズメータ。
【請求項２】　請求項１の眼鏡レンズ用レンズメータにおいて、前記眼鏡レンズを支持する支持手段は、前記眼鏡レンズの屈折力を測定する際に使用されるノーズピースであり、該ノーズピースは所定の圧力以上の力を受けたときは圧力を避ける位置に移動可能であることを特徴とする眼鏡レンズ用レンズメータ。
【請求項３】　請求項１の眼鏡レンズ用レンズメータは、さらに眼鏡用レイアウトプレートを装着する装着手段と、眼鏡用レイアウトプレートを拡大観察する観察光学系を設けたことを特徴とする眼鏡レンズ用レンズメータ。」
　
イ）申立ての理由の概要
　特許異議申立人株式会社トプコンは、
甲第１号証：特願平１−１４３５６号（以下、「特許出願１」ともいう。）　　　　　　の公開特許公報である特開平２−２１０２３８号公報
　　　　　（以下、「刊行物１」ともいう。）
甲第２号証：特開昭５６−２４３１６号公報
　　　　　（以下、「刊行物２」ともいう。）
甲第３号証：特開昭６１−１２１８６１号公報
　　　　　（以下、「刊行物３」ともいう。）
甲第４号証：特公昭５６−４２４２１号公報
　　　　　（以下、「刊行物４」ともいう。）
甲第５号証：実願昭４７−１４６７８６号（実開昭４９−１０１３９３号）　　　　　　のマイクロフィルム
　　　　　（以下、「刊行物５」ともいう。）
甲第６号証：特開昭５３−１２０４５１号公報
　　　　　（以下、「刊行物６」ともいう。）
を提示し、
「請求項１に記載の本件特許に係わる発明は、本件特許出願の日前の他の特許出願であって当該特許出願後に公開されたものの願書に最初に添付した明細書又は図面に記載された発明と同一であると認められるので、また、本件特許出願前に公開された刊行物に記載された発明に基づいて当業者が容易に発明することができたものとも認められるので、特許法第１１３条第１項第２号の規定により特許査定を取り消されるべきものであると、特許異議申立人は思量する。
　また、請求項２、請求項３に記載の本件特許に係わる発明も、特許査定を取り消されるべきものであると、特許異議申立人は思量する。」（特許異議申立書第１０頁第８行〜第１５行）、
と主張している。
　
ウ）甲第１ないし６号証に記載された事項
ａ）甲第１号証（刊行物１）
　甲第１号証（刊行物１）には、
（１−１）「この発明は、被加工レンズの光学特性測定、レンズの加工データによる加工可否判定及び加工治具の被加工レンズへの取り付けを行い得るようにしたレンズメータに関するものである。」（第２頁右上欄第１８行〜左下欄第１行）、
（１−２）「一般に、メガネを作る場合には、まず顧客の眼の眼屈折度や乱視軸等の測定を行って、この測定に基づいてメガネレンズに対する処方箋データを作成すると共に、メガネのレンズ枠やレンズの種類等を顧客に選択させて、これらの情報を加工場等に送る。この加工場では、上述の情報に基に被加工レンズを選択して、この被加工レンズの乱視軸の向きや光学中心（光軸）等をレンズメータで測定すると共に、被加工レンズを加工してメガネのレンズ枠に実装したときに乱視軸が目的の方向を向くように上述の測定に基づいて被加工レンズに印点（マーキング）する。」（第２頁左下欄第３行〜第１４行）、
（１−３）「また、本体８の前面中央には、内部にレンズ形状を測定するセンサーが第２図の測定部１３ａ（測定手段）として内蔵されているレンズ受け台１３が設けられている。」（第４頁左上欄第１８行〜右上欄第１行）、
（１−４）「また、レンズ受け台１３の上方には、本体８と一体の取付突部１４が配設されている。この取付突部１４には、図示しないレンズ押えや印点手段（マーキング手段）が装着されている。」（第４頁右上欄第１６行〜第１９行）、
（１−５）「上述の取付突部１４の下部には、加工治具取り付け手段としての吸着盤取付レバー１６が軸線Ａ−Ａ’を中心に水平回動可能に且つ上下方向に駆動可能に装着されている。この吸着盤取付レバー１６の回動操作及び上下方向への駆動操作は、手動で行なうようにしているが、自動的に行なうようにしても良い。この吸着盤取付レバー１６の中間部には吸着盤ホルダー１７が設けられ、この吸着盤ホルダー１７には加工治具としてのゴム製の吸着盤１８の取付軸部１８ａが着脱自在に保持されるようになっている。」（第４頁左下欄第１行〜第１０行）、
（１−６）「被加工レンズＬをレンズ受け台１３に載せて、被加工レンズＬの光学中心の光学特性を測定する。」（第５頁左下欄第１５行〜第１７行）、
（１−７）「更に、この被加工レンズＬの光学特性も処方箋通りのものであれば、」（第５頁右下欄第５行〜第６行）、
（１−８）「そして、吸着盤取付レバー１６の吸着盤ホルダー１７に吸着盤１８を保持させた後、この吸着盤取付レバー１６を９０度回転させることにより、吸着盤１８の中心を被加工レンズＬの光学中心Ｏに一致させる。次に、この吸着盤取付レバー１６を押し下げて、吸着盤取付レバー１６の吸着盤１８をレンズ受け台１３上の被加工レンズＬに吸着させる。この吸着に際しては、吸着盤１８の中心と被加工レンズＬの光学中心Ｏとが一致させられる。」（第５頁右下欄第１０行〜第１８行）、
（１−９）「第１２図に示すように、レンズメータ３０は測定光学系と第１観察光路及び第２観察光路を形成する第１、第２観察光学系を有している。測定光学系は、光源３８、コンデンサーレンズ３９、絞りマスク４０、コリメータレンズ４１、ハーフミラー３６、リングマスク３４、反射ミラー４２、フォーカスレンズ４３、ＣＣＤ４４等の光学部材を有する。そして、光源３８からの照明光は、コンデンサーレンズ３９，絞りマスク４０、コリメータレンズ４１、ハーフミラー３６、リングマスク３４、反射ミラー４２、フォーカスレンズ４３を介してレンズ載置台３３に載置された被加工レンズＬをＣＣＤ４４に投影させる。この投影像は、第１３図に示すように、円柱屈折がない場合は円環状の像Ａとなり、円柱屈折がある場合は歪んだ楕円状の像Ｂとなる。そして、この投影像により演算制御部２０’において被加工レンズＬの光学特性が測定され、その結果を表示部３２の表示面３２ａに第１１図に示すように表示させる。」（第６頁左上欄第２０行〜右上欄第１７行）、
と記載されている。
　
ｂ）甲第２号証（刊行物２）
　甲第２号証（刊行物２）のＦｉｇ．１には、眼鏡レンズ７、この眼鏡レンズ７を支持する支持手段としてのゴム又は他の滑り性の少ない材料からなるキャップ４７、眼鏡レンズ７を観察するための光学系、眼鏡レンズ７を吸着する吸着盤３６、吸着盤３６を保持する吸着盤保持体３５、吸着盤３６を旋回可能にするアーム２３、このアーム２３を上下方向に案内する滑り棒２２が記載されている。
　
ｃ）甲第３号証（刊行物３）
　甲第３号証（刊行物３）には、
「第１図は、本発明の一実施例を示すレンズ心取りホルダーの断面図である。この心取りホルダー１０においては、心取加工機の上軸１１には従来の一方のベルチャックと同様なベルチャック１３が同様に取付けられているが、被加工レンズ１５を下方から支持するのは下軸１２に取付けられたレンズホルダー本体１６である。このレンズホルダー本体１６の上面は同面に支持される被加工レンズ１５の曲面と同一、あるいはほぼ等しい曲率を有する曲面に形成されていて、同曲面１７内には同曲面の中心軸と同軸の円環状の溝１９が設けられている。そして同溝１９内には伸張性のコイルばね１８が落し込まれると共に、同ばね１８の弾力により突出習性が与えられた筒状レンズ受１４が出入自在に嵌入されている。」（第２頁右上欄第１５〜左下欄第９行）、
と記載されている。
　
ｄ）甲第４号証（刊行物４）
　甲第４号証（刊行物４）には
（４−１）「本発明はメガネレンズを玉摺機にかける前の準備作業となるレンズの光学中心と瞳孔中心を合せるようになす軸出し器に係り、従来の軸出し器に比べて軸出し作業が簡単且つ容易となり、また軸出し用吸盤の止着が正確に行われて誤差を生じせしめることのないものである。」（第１頁右欄第１１行〜第１６行）、
（４−２）「２３は馬蹄形状で下面をスリ面に加工した合成樹脂板のスクリーンであつて第１図で見られる通り上辺部の中心線Ｏ1−Ｏ1上に縦方向のスリツト２４とこれを中心にして左右方向に水平なスリツト２５ａ及び２５ｂが穿設されてなり、該スクリン２３上面には第２図に示す如き目盛板２６が摺運可能に載置せしめられる。」（第２頁左欄第１６行〜第２２行）、
（４−３）「吸盤の支持アーム５は第４図に示す如きものであつて主軸２に対し一体的に取付けられてなり、後述の軸出し作業のさいレバー１０を回動させるとき帽体７と共に回動するようになつている。こゝにＳはアーム先端の吸盤受けであつて、軸出し作業のさい吸盤３３が載置されるようになつており、Ｈは円弧状のガイド溝であつて回動のさい匣体上壁に止着されてなるピン３４と係合して案内させるためのものであり、両端には穴Ｔ1，Ｔ2が穿設されて回動の終端を規正させるようになす。
　本発明において匣体上面には円孔３５が穿設されていて。該円孔３５には硝子或はプラスチツクスなどの透光板３６が脱着自在に載置されるようになされてあり、該透光板３６の中心部には同じく円孔３７が穿設されていてメガネレンズ３８が支持されるようになされる。このさい円孔３７との接触によつてメガネレンズ３８を傷付けないようにするべく円孔３７の周縁に沿つた３箇所にはゴムやスポンジなどの弾性体Ｋが取付けられる。
　４０は透孔板３６の直下に設けてなる反射鏡であつて、同じく匣体内に設けてなるランプ４１（一点鎖線で示す）からの光をレンズ４２（一点鎖線で示す）を介して照射させるようになしてあり、このさい透孔板３６上に載置されるメガネレンズ３８の影像をスクリーン２３上に撮し出すようになさしめる。なお、図面に於いて４３はフアインダー、４４はランプ点灯用スイツチ、４５はカバーである。」（第２頁右欄第７行〜第３６行）、
（４−４）「今透光板３６上に左眼用レンズを載置させると共にスイッチ４４をオンしてランプ４１を点灯せしめると、該レンズの影４６がスクリーン２３上に撮し出される。このさい目盛板２６の基線Ｏ2−Ｏ2はスクリーン２３の基線Ｏ1−Ｏ1と一致しているのであるが、本実施例の場合軸出しのため偏差値が５ｍｍであるので、掴み２２を手で持ちこれを回動させながら目盛板２６を右側に押して移動せしめ、スクリーン２３の基線Ｏ1−Ｏ1に対して目盛板の目盛が５を示すようになると掴み２２の回動を止める。（第３図Ｂ参照）しかして、この状態に於いて透光板３６上のメガネレンズ３８を適宜移動させてスクリーン２３上に撮し出される光学中心点Ｍの影を偏差値５ｍｍの位置と一致するようになさしめる。
　このあとレバー１０を手に持って時計方向に回動させると、スクリーン２３及び目盛板２６は左方向に逃げ、透光板３６の下方には支持アーム５の吸盤受けＳが来て、その円孔中心に吸盤受けＳ上に載置された吸盤３３が位置するようになる。(第９図及び第１０図Ａ参照)この回動はピン３４がアーム５のガイド溝Ｈに案内され、孔Ｔ1に嵌入されることによつて規正される。
　この状態に於いて、レバー１０を下方に押すと、先ず押え杆１２が降下してメガネレンズ３８を上方から押圧して透光板３６上に固定するようになす。（第１０図Ｂ参照）次に更に強く押すようになすと、主軸２は軸受３内を滑動して上方に持上げられるようになって支持アーム５と共に引上げられ、吸盤受けＳ上の吸盤３３をメガネレンズ３８の下側に強く押圧させて吸着させるようになす。（第１０図Ｃ参照）しかしてレバー１０を離すと主軸２は下方に降りると共に押え杆１２も上昇し、透光板３６上には吸盤３３の止着したメガネレンズ３８が取残される。（第１０図Ｄ参照）
　以上により左眼用レンズの軸出しが終了し、これは取出されて玉摺機にかけられ、外周縁を眼鏡枠のパターンにもとづいて切削するようになすのである。」（第３頁左欄第３行〜第４２行）、
と記載されている。
　
　してみると、刊行物４には、レンズに吸盤を止着できるようにするために、眼鏡用レイアウトプレートに相当する目盛板を装着する装着手段と、眼鏡用レイアウトプレートに相当する目盛板を観察するための観察光学系が設ける技術が記載されている。
　
ｅ）甲第５号証（刊行物５）
　甲第５号証（刊行物５）には、メガネレンズを吸着する吸着器を備えたメガネレンズの軸打吸着器が記載されている。
　
ｆ）甲第６号証（刊行物６）
　甲第６号証（刊行物６）には、
（６−１）「本発明は、めがねレンズ上に吸盤，メタルブロツク，接着パツド等を固定する方法およびこの方法を実施する装置に関する。以下１つの吸盤について詳述するが、本発明は他の公知の固定片、例えば前記のメタルブロツク又は接着パツドをめがねレンズ上に固定して、このような固定片を介してめがねレンズを縁部加工機に取り付ける場合にももちろん適用される。」（第２頁右上欄第１７行〜左下欄第４行）、
（６−２）「図示の本発明の装置は大体においてレンズメータ計１とめがねレンズ４上に吸盤３を固定するための固定機構２とから成っている。レンズメータ１はそのハウジング１ａを介して台部（図示せず）上に取り付けられていて、ハウジング上縁から上端部５ａが突出した対物レンズ５を有している。この対物レンズ５は多数の、特に３つの、三角形の形に対物レンズ５の縦軸線９と平行に配置されているねじピン６によって、わずかな間隔をおいて囲まれている。これらのねじピン６はいずれもその縦方向でばね７の作用を受けており、このばね７はねじピン６を次のように上へ押している。即ち、ねじピン６の栓８上に載せられているめがねレンズ４へ上から吸盤３が押し付けられる時にめがねレンズ４が対物レンズ５の上縁５ｂからわずかに持ち上げられることになるように、ねじピン６を押し上げている。」（第４頁左上欄第３行〜第２０行）、
（６−３）「レンズメータ１のハウジング１ａには、例えば調整部材付きの２つの締付けジヨーによつて（図示せず）固定機構２が保持されている。この固定機構２はその下方区分１０内にウエブ１１，上側の脚辺部１２，下側の脚辺部１３から成る１つのＵ字形のアタツチメントを備えており、その下側の脚辺部１３から下方へ１つのスリーブ１４が延びている。両方の脚辺部１２，１３を１つの旋回軸１５が貫通しており、この旋回軸１５の内部へ下から１つのばね１６が挿入されており、このばね１６の受け体としてスリーブ１４の孔１８内に１つの円板片１７が配置されている。この旋回軸１５の縦軸線１９は対物レンズ５の縦軸線９、ひいては対物レンズ５内を通る光線に対して厳密に平行をなしている。
　旋回軸１５の上端部には１つの止めねじ２０を介してリング２１が保持されている。このリング２１は下方へ突出した１つのピン２２を有していて、このピン２２によって旋回軸１５の旋回運動は第１図に示すように吸盤３がめがねレンズ４の上方に位置を占める際正確に規制される。このピン２２はまた、吸盤３がめがねレンズ４上へ下降する際にも、図示してない１つの縦案内部に入り込むことによって旋回軸１５の思わぬ回動を防止する。
　リング２１上には１つの支承ブロツク２３が設けられている。この支承ブロツク２３はブラケット状の吸盤ホルダー２４を支承しており、この吸盤ホルダー２４のアーム２５は穴２６を有し、この穴２６内に吸盤３の基部２７が緊密に嵌め込まれている。穴２６には直径方向で１つのウエブ２８が設けられており、このウエブ２６は基部２７を穴２６内へ嵌め込む際に基部２７の端面に形成されている１つのスリツト２９内へ嵌まり、かくして吸盤３が吸盤ホルダー２４並びに支承ブロツク２３に対して正確に方向を定められた位置を占めることになる。」（第４頁右上欄第１１行〜右下欄第８行）、
（６−４）「この旋回軸１５の下降の際吸盤３が、支承ブロツク２３によつて偏位した位置を占めた吸盤ホルダー２４を介して、レンズメータ１の縦軸線９に合致する光線に対して光学中心即ち芯取り点Ｍを合わせためがねレンズへ押し付けられる。」（第５頁左下欄第１８行〜右下欄第３行）、
（６−５）「めがねレンズ４が、あらかじめ吸盤ホルダー２４並びに吸盤３を側方へ旋回させた状態でビン６上へ載せられ、レンズメータ１を介して光学中心を芯取りされて軸の方向を合わされる。即ち、めがねレンズ４をその光学中心を中心として回動させて、レンズメータ１内に見える中心線がその所望の位置を占めるようにする。次いで、支承ブロック２３がめがねレンズ４の相応の偏心値に合わせて位置ぎめされ、アーム２４が吸盤３と共に第１図に示す位置へ旋回される。この場合この旋回運動はピン２２によつて限定されてア−ム２５が吸盤３と共にめがねレンズ４の上方の正確な位置を占めるに至る。次いで、吸盤３が旋回軸１５自体の縦移動によってめがねレンズ４の表面へ押し付けられる。この場合ピン６の栓８がめがねレンズ４の損傷を防止する。」（第５頁右下欄第１０行〜第６頁左上欄第６行）、
と記載されている。
　
　してみると、刊行物６には「眼鏡レンズ用レンズメータにおいて、該眼鏡レンズの加工中心に位置合わせして取り付ける吸盤を保持する吸盤ホルダーと、前記吸盤ホルダーに保持された吸盤を縦軸外の待機位置から縦軸線９上に移動する移動手段と、前記縦軸線の外周部にある支持手段（ねじピン６及び栓８）であって、所定の圧力以上の力を受けたときは圧力を避ける位置に移動可能な支持手段によりレンズ後面が支持された、前記眼鏡レンズに対して前記吸盤を前記縦軸線に沿って移動させて前記眼鏡レンズに吸着させる移動手段と、を設けたことを特徴とする眼鏡レンズ用レンズメータ。」が記載されている。
　
エ）当審の判断
（１）本件の請求項１に係る発明について
　本件の請求項１に係る発明と刊行物６に記載された発明とを対比すると、刊行物６に記載された発明における「吸盤」、「吸盤ホルダー」は、それぞれ本件の請求項１に係る発明における「サクションカップ」、「保持手段」に相当し、また、レンズメータは通常、レンズの屈折率等を測定する測定光学系を有しているから、両者は「眼鏡レンズの屈折力を測定する測定光学系を備える眼鏡レンズ用レンズメータにおいて、該眼鏡レンズの加工中心に位置合わせして取り付けるサクションカップを保持する保持手段と、前記保持手段に保持されたサクションカップを軸外の待機位置からその軸上に移動する第１移動手段と、前記軸の外周部にある支持手段であって、所定の圧力以上の力を受けたときは圧力を避ける位置に移動可能な支持手段によりレンズ後面が支持された、前記眼鏡レンズに対して前記サクションカップを前記軸に沿って移動させて前記眼鏡レンズに吸着させる第２移動手段と、を設けたことを特徴とする眼鏡レンズ用レンズメータ。」である点で一致し、
（１）本件の請求項１に係る発明においては、軸である光軸が測定光学系の光路をなしているのに対し、刊行物６に記載された発明においては、軸である縦軸線が測定光学系の光路をなしているか否か不明である点、
において相違している。
　
　相違点（１）について検討する。
　刊行物６に記載された発明において、めがねレンズ４、対物レンズ５及び縦軸線９の配置関係を考慮すれば、縦軸線がレンズメータの測定光学系の光路をなすようにすることは、当業者であれば容易に想到しうることである。
　　
（２）本件の請求項２に係る発明について
　本件の請求項２に係る発明と刊行物６に記載された発明とを対比すると、両者は上記「（１）本件の請求項１に係る発明について」において検討したとおりの点において一致し、上記相違点（１）のほかに、（２）本件の請求項２に係る発明においては、眼鏡レンズを支持する支持手段が眼鏡レンズの屈折力を測定する際に使用されるノーズピースであり、該ノーズピースは所定の圧力以上の力を受けたときは圧力を避ける位置に移動可能であるのに対し、刊行物６に記載された発明においては、眼鏡レンズを支持する支持手段がノーズピースではない点において相違している。
　
　相違点（１）については上記「（１）本件の請求項１に係る発明について」において検討したとおりである。
　相違点（２）について検討する。
　眼鏡レンズを支持する支持手段をノーズピースにし、該ノーズピースを所定の圧力以上の力を受けたときに圧力を避ける位置に移動可能にすることは、刊行物２〜５には何ら記載されていない（刊行物３に記載された発明（心取りホルダー）における「筒状レンズ受１４」は、眼鏡レンズの屈折力を測定する際に使用される「ノーズピース」ではない。）。
　しかも、本件の請求項２に係る発明は、上記相違点の構成を有することにより明細書に記載された効果を奏するものと認められる。
　したがって、本件の請求項２に係る発明は、上記刊行物２〜６に記載された発明に基づいて当業者が容易に発明をすることができたものであるといえない。
　また、特許出願１の願書に最初に添附した明細書又は図面には、眼鏡レンズを支持する支持手段をノーズピースにし、該ノーズピースを所定の圧力以上の力を受けたときに圧力を避ける位置に移動可能にすることが記載されていないから、本件の請求項２に係る発明は、特許出願１の願書に最初に添附した明細書又は図面に記載された発明と同一ではない。
　
（３）本件の請求項３に係る発明について
　本件の請求項３に係る発明と刊行物６に記載された発明とを対比すると、両者は上記「（１）本件の請求項１に係る発明について」において検討したとおりの点において一致し、上記相違点（１）のほかに、（３）本件の請求項３に係る発明においては、眼鏡用レイアウトプレートを装着する装着手段と、眼鏡用レイアウトプレートを拡大観察する観察光学系が設けられているのに対し、刊行物６に記載された発明においては、装着手段及び観察光学系が設けられていない点、において相違している。
　
　相違点（１）については上記「（１）本件の請求項１に係る発明について」において検討したとおりである。
　相違点（３）について検討する。
　眼鏡用レイアウトプレートを装着する装着手段と、眼鏡用レイアウトプレートを観察するための観察光学系が設ける技術は刊行物４に記載されており、当該技術を刊行物６に記載された発明に適用することは、共にレンズに吸盤を止着できるようにするための構成であるという点で共通しているから、当業者が容易に想到しうることである。なお、刊行物４に記載された発明において、観察光学系が拡大機能を有しているか否か不明であるが、物を観察する光学系に拡大機能を設けることは、この出願前に周知であり、格別なことではない。
　
オ）むすび
　以上のとおりであるから、
（１）本件の請求項１に係る発明は、刊行物６に記載された発明に基づいて当業者が容易に発明をすることができたものであり、本件の請求項１に係る発明の特許は、特許法第２９条第２項の規定に違反してなされたものである。
　
（２）本件の請求項２に係る発明は、特許異議申立ての理由及び証拠によっては、本件の請求項２に係る発明についての特許を取り消すことはできない。
　また、他に本件の請求項２に係る発明についての特許を取り消すべき理由を発見しない。
　したがって、本件請求項２に係る発明についての特許は拒絶の査定をしなければならない特許出願に対してされたものと認めない。
　
（３）本件の請求項３に係る発明は、刊行物６及び刊行物４に記載された発明に基づいて当業者が容易に発明をすることができたものであり、本件の請求項３に係る発明の特許は、特許法第２９条第２項の規定に違反してなされたものである。
　
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、上記の通り決定する。
【異議決定日】
平成１４年１月２１日（２００２．１．２１）
【訂正の要旨】
　特許第２９２５５８４号発明の明細書を、本件特許異議申立てに関連してなされた訂正請求書に添付した訂正明細書のとおりに訂正する。
▲１▼特許請求の範囲の請求項１を、特許請求の範囲の減縮を目的として、
「【請求項１】　眼鏡レンズの屈折力を測定する測定光学系を備える眼鏡レンズ用レンズメータにおいて、該眼鏡レンズの加工中心に位置合わせして取り付けるサクションカップを保持する保持手段と、前記保持手段に保持されたサクションカップを前記測定光学系の光路外の待機位置からその光軸上に移動する第１移動手段と、
前記測定光学系の光路の外周部にある支持手段であって、所定の圧力以上の力を受けたときは圧力を避ける位置に移動可能な支持手段によりレンズ後面が支持された、
▲２▼【発明の詳細な説明】の［発明の構成］の「（１）眼鏡レンズの屈折力を測定する測定光学系を備える眼鏡レンズ用レンズメータにおいて、該眼鏡レンズの加工中心に位置合わせして取り付けるサクションカップを保持する保持手段と、前記保持手段に保持されたサクションカップを前記測定光学系の光路外の待機位置からその光軸上に移動する第１移動手段と、支持手段により支持された前記眼鏡レンズに対して前記サクションカップを前記測定光学系の光軸に沿って移動させて前記眼鏡レンズに吸着させる第２移動手段と、を設けたことを特徴とする。」を、明瞭でない記載の釈明を目的として、
「（１）眼鏡レンズの屈折力を測定する測定光学系を備える眼鏡レンズ用レンズメータにおいて、該眼鏡レンズの加工中心に位置合わせして取り付けるサクションカップを保持する保持手段と、前記保持手段に保持されたサクションカップを前記測定光学系の光路外の待機位置からその光軸上に移動する第１移動手段と、
前記測定光学系の光路の外周部にある支持手段であって、所定の圧力以上の力を受けたときは圧力を避ける位置に移動可能な支持手段によりレンズ後面が支持された、
（５４）【発明の名称】
眼鏡レンズ用レンズメータ
（５７）【特許請求の範囲】
　【請求項１】　眼鏡レンズの屈折力を測定する測定光学系を備える眼鏡レンズ用レンズメータにおいて、該眼鏡レンズの加工中心に位置合わせして取り付けるサクションカップを保持する保持手段と、前記保持手段に保持されたサクションカップを前記測定光学系の光路外の待機位置からその光軸上に移動する第１移動手段と、
前記測定光学系の光路の外周部にある支持手段であって、所定の圧力以上の力を受けたときは圧力を避ける位置に移動可能な支持手段によりレンズ後面が支持された、
　【請求項２】　請求項１の眼鏡レンズ用レンズメータにおいて、前記眼鏡レンズを支持する支持手段は、前記眼鏡レンズの屈折力を測定する際に使用されるノーズピースであり、該ノーズピースは所定の圧力以上の力を受けたときは圧力を避ける位置に移動可能であることを特徴とする眼鏡レンズ用レンズメータ。
　【請求項３】　請求項１の眼鏡レンズ用レンズメータは、さらに眼鏡用レイアウトプレートを装着する装着手段と、眼鏡用レイアウトプレートを拡大観察する観察光学系を設けたことを特徴とする眼鏡レンズ用レンズメータ。
【発明の詳細な説明】
［産業上の利用分野］
　本発明は眼鏡レンズの屈折特性を測定するレンズメータに係わり、更に詳しくは眼鏡フレームの形状に従って研削加工する玉摺工程の前工程作業における軸打機能を有するレンズメータに関する。
［従来技術］
　眼鏡レンズの玉摺工程（周縁部研削）の前工程作業は次のような手順に従って行われるのが一般的である。
　まず眼鏡用レンズメータによる未加工レンズの度数及び軸角度を測定し、軸角度を合せて光学中心位置への印点打ち作業を行う。
　次に、型取機により眼鏡枠のレンズ枠形状に倣って型板取り作業を行いレンズ枠形状をもつ型板を得る。
　そして印点打ちされた未加工レンズと眼鏡枠のレンズ枠形状をもつ型板とを軸打器上の目盛板にて位置合わせを行い、眼鏡枠の幾何学中心と未加工レンズの光学中心との偏心位置決めを行い、玉摺機加工のための吸着盤を未加工レンズへ吸着させる（軸打作業）。
［従来技術の問題点と解決すべき課題］
　このように、従来の方法によれば各々の作業がそれぞれ別々に独立していたために、次のような問題点があった。
　即ち、▲１▼前工程作業機器として、眼鏡用レンズメータ、軸打器がそれぞれ必要であり、それぞれの設置スペースも必要であった。
▲２▼玉摺機自体は、自動化、高速化が進んでいるにもかかわらず、前工程作業は旧態依然として加工者の経験や技量によるところが多く、各々の作業による誤差が重なり合って、前工程作業の精度、ひいては仕上加工されたレンズの総合的な光学精度を向上させることができなかった。
▲３▼前工程作業のスピードアップ化ができなかった。
　本発明の目的は眼鏡用レンズメータによる光学中心への印点打ち作業と、軸打器による未加工レンズヘの吸着盤の吸着させる軸打作業を有機的に結合させ、短時間にしかも誤差の生じないような装置を提供することにある。
［発明の構成］
　上記目的を達成するために、本発明によるレンズメータは次のような構成を有する。
　（１）　眼鏡レンズの屈折力を測定する測定光学系を備える眼鏡レンズ用レンズメータにおいて、該眼鏡レンズの加工中心に位置合わせして取り付けるサクションカップを保持する保持手段と、前記保持手段に保持されたサクションカップを前記測定光学系の光路外の待機位置からその光軸上に移動する第１移動手段と、
前記測定光学系の光路の外周部にある支持手段であって、所定の圧力以上の力を受けたときは圧力を避ける位置に移動可能な支持手段によりレンズ後面が支持された、
　（２）　（１）の眼鏡レンズ用レンズメータにおいて、前記眼鏡レンズを支持する支持手段は、前記眼鏡レンズの屈折力を測定する際に使用されるノーズピースであり、該ノーズピースは所定の圧力以上の力を受けたときは圧力を避ける位置に移動可能であることを特徴とする。
　（３）　（１）の眼鏡レンズ用レンズメータは、さらに眼鏡用レイアウトプレートを装着する装着手段と、眼鏡用レイアウトプレートを拡大観察する観察光学系を設けたことを特徴とする。
［発明の効果］
　本発明は上述の構成を有するので、従来の玉摺機加工の前工程作業の中で、レンズメータと軸打器の２つの機器を必要とし、別々に分かれていた作業を一つの機器に一体化することにより、店の設置スペースの低減化、更に眼鏡用レンズヘの印点打ちをやめて、直接、吸着盤を吸着することにより作業の簡略化、スピードアップ及び前工程作業の誤差を小さくできる。
［実施例］
　以下、本発明の一実施例を図面に基づいて説明する。
　本実施例は従来の眼鏡用レンズメータに軸打機能を付与したもので、レンズメータ部と軸打部から構成されている。
　第１図は本装置の断面を示す図である。
レンズメータ部
　本実施例のレンズメータ部は標準的な望遠鏡式レンズメータである。このような装置は汎く知られているので、簡単な説明に止どめる。尚、この方式以外のレンズメータでも容易に本発明を実施でき、これらを権利範囲から除外する趣旨ではない。
　１は接眼レンズ、２は十字線・角度スケール、３は対物レンズ、４は印点を付ける印点マーカである。印点マーカ４は後述のサクションカップホルダ１４と互いに干渉しないような形状になっている。
　５はレンズ押え、６は被検レンズ、７は可動式ノーズピースである。、８はコリメータレンズ、９はターゲット、１０は拡散板、１１はターゲット回転リング、１２はターゲット９を照明するランプである。
　このような構成のレンズメータ部において、レンズ押え５を押し上げた状態で、被検レンズ６をその中心が可動式ノーズピース７の略中心にくるように置き、レンズ押え５を下げて、被検レンズを保持する。
　無限遠に合成光学系の焦点がある接眼レンズ１及び対物レンズ３によりターゲット像と十字線・角度スケール２を観察する。コリメータレンズ８と被検レンズ６によりランプ１２により照明されたターゲット像が無限遠の空中像となるべく、即ちターゲット像が鮮明に見えるようにターゲット９を光軸方向に移動する。ターゲット像が十字線の中心の位置にあり、ターゲット像が鮮明に見える位置でのディオプタスケール目盛り（図示なし）を読取る。
　乱視レンズの場合はターゲット回転リングを回転させることによりターゲット９を回転させ、ターゲット像の結像状態により乱視度数及び乱視軸を求める。
軸打部
　１３はスライド軸で、スライド軸１３にはサクションカップホルダ１４がスライドかつ回転可能に軸支えされている。１５はサクションカップで玉摺機による加工工程において、被加工レンズの回転軸に取り付ける。
　１６はサクションカップ１５を被検レンズに取り付けるためのグリップで、一方はサクションカップホルダ１４に他方は被検レンズを挟んで反対側の装置に固定されている。
　サクションカップホルダ１４はサクションカップ１５を取付ける時には第２図の一点鎖線の位置にあり、取付け後回軸させ実線の位置にする。サクションカップの中心が光軸と一致する位置にはクリック（図示せず）があり、そこで固定される。
　検者がグリップ１６を握ることによって、サクションカップ１５は被検眼レンズ側に移動・押し付けられ吸着固定される。
　このとき被検レンズにかかる荷重すべてがノーズピース７にもかかるのを防止するために、ある力以上の荷重がノーズピース７にかかったときはスプリング１７は縮み、被検レンズはクッション１８と接し、サクションカップ押しつけ時の荷重を受ける。これによりノーズピース７の変形を防ぐことができる。
　ここでいうある力とは装置を被検レンズの屈折力測定に使用しようとするときにノーズピース７が移動しない程度の力である。
　このような構成により、レンズの光心をみつけたときは直ちにそこにサクションカップを打つことができる。
　以上は被検レンズが球面レンズや乱視レンズの場合の軸打ちの説明であるが、次に二重焦点レンズや累進多焦点レンズのように光心を求めず外観（マーキング等）によりレウアウト中心を求める場合について説明する。
　まず、ノーズピース７を置くまで押込み、レイアウトプレート１９の装置に取付ける。第４図はレイアウトプレート１９を正面よりみた図である。取付け時に回転ずれが生じないようにピンにて回転方向の位置ぎめをしている。レイアウトプレート１９表面のマーキングの中心は勿論サクションカップ中心と一致している。
　更には接眼レンズ１、十字線・角度スケール２、対物レンズ３を取除き、代りに拡大鏡９２０を取付け、レイアウトプレート１９のマーキングとレンズのマーキングまたは小玉の位置を拡大鏡２０を介して観察することによりレイアウトを行う。その後、前述の方法により軸打を行う。
【図面の簡単な説明】
第１図は本発明の実施例の装置要部の断面図、第２図はサクションカップホルダの動作を説明する図、第３図はレイアウトプレート取付けを説明するための要部断面図、第４図はレイアウトプレートの正面図である。
７……ノーズピース
１３……スライド軸
１４……サクションカップホルダ
１５……サクションカップ、１６……グリップ
１７……スプリング、１８……クッション
１９……レイアウトプレート
２０……拡大鏡